(57)【要約】【課題】複数の口座に対応するキャッシュカード等の媒体を受け付け、前記口座の口座情報を取得して、移動元及び移動先の口座を自動的に特定し、複数の口座間で金額を移動させる処理を行う際に、金融機関名、支店名、口座番号等の情報を入力する必要がなく、顧客が短時間で、容易に、確実に処理を行うことができるようにする。【解決手段】金融機関に開設された口座に対応する媒体を取り扱う媒体取り扱い手段と、表示機能及び入力機能を備える操作手段とを有する自動取引装置１０であって、複数の口座間で金額を移動する取引を行う場合、移動元の口座及び移動先の口座を、前記媒体取り扱い手段が読み取った各口座に対応する媒体に格納されたデータに基づいて指定する取引口座指定手段を有する。【選択図】図１
2006251963.tif 000002
【特許請求の範囲】
【請求項１】
（ａ）金融機関に開設された口座に対応する媒体を取り扱う媒体取り扱い手段と、
（ｂ）表示機能及び入力機能を備える操作手段とを有する自動取引装置であって、
（ｃ）複数の口座間で金額を移動する取引を行う場合、移動元の口座及び移動先の口座を、前記媒体取り扱い手段が読み取った各口座に対応する媒体に格納されたデータに基づいて指定する取引口座指定手段を有することを特徴とする自動取引装置。
【請求項２】
前記媒体は、前記データを磁気データとして格納するカード又は通帳であり、前記媒体取り扱い手段は前記磁気データを読み取り可能なカード取り扱い手段又は通帳取り扱い手段である請求項１に記載の自動取引装置。
【請求項３】
前記操作手段は、前記カード又は通帳を使用して移動元の口座及び移動先の口座を指定することを選択する選択手段を表示させる請求項２に記載の自動取引装置。
【請求項４】
（ａ）前記操作手段は、前記取引が振込である場合、カード又は通帳を使用して振込元の口座及び振込先の口座を指定することを選択する選択手段を表示させ、
（ｂ）前記カード取り扱い手段又は通帳取り扱い手段は、使用されたカード又は通帳に格納された磁気データを読み取り、
（ｃ）前記取引口座指定手段は、前記磁気データに基づき、勘定系上位装置から対応する口座情報を取得して振込元の口座及び振込先の口座を指定し、
（ｄ）前記操作手段は、前記取引口座指定手段が指定した振込元の口座及び振込先の口座を確定するための選択手段を表示させる請求項３に記載の自動取引装置。
【請求項５】
（ａ）前記操作手段は、カード又は通帳を使用して移動元の口座及び移動先の口座を指定することを選択する選択手段を表示させ、
（ｂ）前記カード取り扱い手段又は通帳取り扱い手段は、使用されたカード又は通帳に格納された磁気データを読み取り、
（ｃ）前記取引口座指定手段は、前記磁気データに基づき、勘定系上位装置から対応する口座情報を取得して移動元の口座及び移動先の口座を指定し、
（ｄ）前記操作手段は、前記取引口座指定手段が指定した移動元の口座及び移動先の口座を確定するための選択手段を表示させる請求項３に記載の自動取引装置。
【請求項６】
前記カードに対応する口座の口座情報をレシートに印字し、前記カード取り扱い手段がカードを排出した後に、前記口座情報が印字されたレシートを排出するレシート取り扱い手段を有する請求項４又は５に記載の自動取引装置。
【請求項７】
（ａ）前記通帳取り扱い手段は、取引によって更新されたデータを前記通帳に記帳し、
（ｂ）前記レシート取り扱い手段は、前記カードに対応する口座の口座情報をレシートに印字し、前記カード取り扱い手段がカードを排出し、前記通帳取り扱い手段が前記更新されたデータが記帳された通帳を排出した後に、前記口座情報が印字されたレシートを排出する請求項６に記載の自動取引装置。
【請求項８】
（ａ）金融機関に開設された口座に対応する媒体が格納するデータを読み取り可能に取り扱う媒体取り扱い手段と、
（ｂ）表示機能及び入力機能を備える操作手段とを有する自動取引装置であって、
（ｃ）前記媒体取り扱い手段が読み取った各口座に対応する媒体に格納されたデータに基づいて、複数の口座間で金額を移動する取引における移動元の口座及び移動先の口座を指定することを特徴とする自動取引装置。
【請求項９】
前記操作手段は、複数の口座間で金額を移動する取引を選択する選択手段を表示させる請求項８に記載の自動取引装置。
【請求項１０】
前記操作手段は、前記取引が選択されると、取引可能口座数を表示するとともに、取引口座数を選択する選択手段を表示させる請求項９に記載の自動取引装置。
【請求項１１】
前記媒体は、前記データを磁気データとして格納するカード又は通帳であり、前記媒体取り扱い手段は前記磁気データを読み取り可能なカード取り扱い手段又は通帳取り扱い手段である請求項８に記載の自動取引装置。
【請求項１２】
前記操作手段は、前記カード又は通帳を使用して移動元の口座及び移動先の口座を指定することを選択する選択手段を表示させる請求項１１に記載の自動取引装置。
【請求項１３】
（ａ）前記操作手段は、カード又は通帳を使用して移動元の口座及び移動先の口座を指定することを選択する選択手段を表示させ、
（ｂ）前記カード取り扱い手段又は通帳取り扱い手段は、使用されたカード又は通帳に格納された磁気データを読み取り、
（ｃ）前記操作手段は、前記磁気データに基づき、勘定系上位装置から対応する口座情報を取得して移動元の口座及び移動先の口座が指定されると、指定された移動元の口座及び移動先の口座を確定するための選択手段を表示させる請求項８に記載の自動取引装置。
【請求項１４】
前記操作手段は、前記取引が複数選択されると、各取引毎の取引金額を入力可能とする請求項１０に記載の自動取引装置。
【請求項１５】
前記カードに対応する口座の口座情報をレシートに印字し、前記カード取り扱い手段がカードを排出した後に、前記口座情報が印字されたレシートを排出するレシート取り扱い手段を有する請求項１３に記載の自動取引装置。
【請求項１６】
（ａ）前記通帳取り扱い手段は、取引によって更新されたデータを前記通帳に記帳し、
（ｂ）前記レシート取り扱い手段は、前記カードに対応する口座の口座情報をレシートに印字し、前記カード取り扱い手段がカードを排出し、前記通帳取り扱い手段が前記更新されたデータが記帳された通帳を排出した後に、前記口座情報が印字されたレシートを排出する請求項１５に記載の自動取引装置。
【請求項１７】
前記操作手段は、前記取引が選択されると、取引可能口座数を表示するとともに、取引口座数を選択する選択手段を表示させる請求項１６に記載の自動取引装置。
【請求項１８】
（ａ）前記通帳取り扱い手段は、すべての取引によって更新されたデータをすべての通帳に記帳し、
（ｂ）前記レシート取り扱い手段は、すべてのカードに対応する口座の口座情報をレシートに印字し、前記カード取り扱い手段がすべてのカードを排出し、前記通帳取り扱い手段が前記更新されたデータが記帳されたすべての通帳を排出した後に、前記口座情報が印字されたレシートを排出する請求項１７に記載の自動取引装置。
【発明の詳細な説明】
【技術分野】
【０００１】
本発明は、自動取引装置に関するものである。
【背景技術】
【０００２】
従来、銀行、信用金庫、郵便局等の金融機関においては、顧客が前記金融機関に口座を開設し、該口座に関する入金、出金、振替、振込、残高照会等の各種金融取引を行うようになっている。ところで、顧客が管理する複数の口座間で顧客の設定する任意の金額を移動させる場合、まず、移動元の口座から現金を引き出し、引き出した現金を移動先の口座に入金する方法が考えられる。しかし、この場合、現金の引き出しが発生し、時間と手間とを要する。そこで、金融機関の支店等に配設されたＡＴＭ（Ａｕｔｏｍａｔｉｃ  Ｔｅｌｌｅｒ  Ｍａｃｈｉｎｅ：現金自動預払機）、ＣＤ（Ｃａｓｈ  Ｄｉｓｐｅｎｓｅｒ：現金自動支払機）等の自動取引装置が備える振込処理機能を使用し、移動元の口座から移動先の口座に振り込むことによって、口座間取引を簡略化することが可能であることは一般に知られている。
【０００３】
そして、自動取引装置を操作することによって、振込処理における振込先を指定する方法としては、前記自動取引装置の顧客操作部に表示される画面を顧客が操作することによって、振込先を選択する方法が一般に知られている。また、顧客が振込カードを使用して振込先を指定する技術も提供されている（例えば、特許文献１参照。）。
【特許文献１】特開平５−２６６０５５号公報
【発明の開示】
【発明が解決しようとする課題】
【０００４】
しかしながら、前記従来の自動取引装置においては、顧客が管理する複数の口座間での金額の移動を振込処理によって行う場合、振込先を入力して指定する際に、振込先の金融機関名、支店名、口座番号を入力する必要があるので、操作に時間がかかってしまう。さらに、入力ミスが発生する可能性がある。
【０００５】
また、振込カードを作成し、該振込カードを使用することによって振込先を選択する場合には、各口座に対応するキャッシュカードに加え、振込カードも管理する必要があり、顧客が管理すべきカードの枚数が増えてしまう。
【０００６】
本発明は、前記従来の自動取引装置の問題点を解決して、複数の口座に対応するキャッシュカード等の媒体を受け付け、前記口座の口座情報を取得して、移動元及び移動先の口座を自動的に特定し、複数の口座間で金額を移動させる処理を行う際に、金融機関名、支店名、口座番号等の情報を入力する必要がなく、顧客が短時間で、容易に、確実に処理を行うことができる自動取引装置を提供することを目的とする。
【課題を解決するための手段】
【０００７】
そのために、本発明の自動取引装置においては、金融機関に開設された口座に対応する媒体を取り扱う媒体取り扱い手段と、表示機能及び入力機能を備える操作手段とを有する自動取引装置であって、複数の口座間で金額を移動する取引を行う場合、移動元の口座及び移動先の口座を、前記媒体取り扱い手段が読み取った各口座に対応する媒体に格納されたデータに基づいて指定する取引口座指定手段を有する。
【０００８】
本発明の他の自動取引装置においては、さらに、前記媒体は、前記データを磁気データとして格納するカード又は通帳であり、前記媒体取り扱い手段は前記磁気データを読み取り可能なカード取り扱い手段又は通帳取り扱い手段である。
【０００９】
本発明の更に他の自動取引装置においては、さらに、前記操作手段は、前記カード又は通帳を使用して移動元の口座及び移動先の口座を指定することを選択する選択手段を表示させる。
【００１０】
本発明の更に他の自動取引装置においては、さらに、前記操作手段は、前記取引が振込である場合、カード又は通帳を使用して振込元の口座及び振込先の口座を指定することを選択する選択手段を表示させ、前記カード取り扱い手段又は通帳取り扱い手段は、使用されたカード又は通帳に格納された磁気データを読み取り、前記取引口座指定手段は、前記磁気データに基づき、勘定系上位装置から対応する口座情報を取得して振込元の口座及び振込先の口座を指定し、前記操作手段は、前記取引口座指定手段が指定した振込元の口座及び振込先の口座を確定するための選択手段を表示させる。
【００１１】
本発明の更に他の自動取引装置においては、さらに、前記操作手段は、カード又は通帳を使用して移動元の口座及び移動先の口座を指定することを選択する選択手段を表示させ、前記カード取り扱い手段又は通帳取り扱い手段は、使用されたカード又は通帳に格納された磁気データを読み取り、前記取引口座指定手段は、前記磁気データに基づき、勘定系上位装置から対応する口座情報を取得して移動元の口座及び移動先の口座を指定し、前記操作手段は、前記取引口座指定手段が指定した移動元の口座及び移動先の口座を確定するための選択手段を表示させる。
【００１２】
本発明の更に他の自動取引装置においては、さらに、前記カードに対応する口座の口座情報をレシートに印字し、前記カード取り扱い手段がカードを排出した後に、前記口座情報が印字されたレシートを排出するレシート取り扱い手段を有する。
【００１３】
本発明の更に他の自動取引装置においては、さらに、前記通帳取り扱い手段は、取引によって更新されたデータを前記通帳に記帳し、前記レシート取り扱い手段は、前記カードに対応する口座の口座情報をレシートに印字し、前記カード取り扱い手段がカードを排出し、前記通帳取り扱い手段が前記更新されたデータが記帳された通帳を排出した後に、前記口座情報が印字されたレシートを排出する。
【００１４】
本発明の更に他の自動取引装置においては、金融機関に開設された口座に対応する媒体が格納するデータを読み取り可能に取り扱う媒体取り扱い手段と、表示機能及び入力機能を備える操作手段とを有する自動取引装置であって、前記媒体取り扱い手段が読み取った各口座に対応する媒体に格納されたデータに基づいて、複数の口座間で金額を移動する取引における移動元の口座及び移動先の口座を指定する。
【００１５】
本発明の更に他の自動取引装置においては、さらに、前記操作手段は、複数の口座間で金額を移動する取引を選択する選択手段を表示させる。
【００１６】
本発明の更に他の自動取引装置においては、さらに、前記操作手段は、前記取引が選択されると、取引可能口座数を表示するとともに、取引口座数を選択する選択手段を表示させる。
【００１７】
本発明の更に他の自動取引装置においては、さらに、前記媒体は、前記データを磁気データとして格納するカード又は通帳であり、前記媒体取り扱い手段は前記磁気データを読み取り可能なカード取り扱い手段又は通帳取り扱い手段である。
【００１８】
本発明の更に他の自動取引装置においては、さらに、前記操作手段は、前記カード又は通帳を使用して移動元の口座及び移動先の口座を指定することを選択する選択手段を表示させる。
【００１９】
本発明の更に他の自動取引装置においては、さらに、前記操作手段は、カード又は通帳を使用して移動元の口座及び移動先の口座を指定することを選択する選択手段を表示させ、前記カード取り扱い手段又は通帳取り扱い手段は、使用されたカード又は通帳に格納された磁気データを読み取り、前記操作手段は、前記磁気データに基づき、勘定系上位装置から対応する口座情報を取得して移動元の口座及び移動先の口座が指定されると、指定された移動元の口座及び移動先の口座を確定するための選択手段を表示させる。
【００２０】
本発明の更に他の自動取引装置においては、さらに、前記操作手段は、前記取引が複数選択されると、各取引毎の取引金額を入力可能とする。
【００２１】
本発明の更に他の自動取引装置においては、さらに、前記カードに対応する口座の口座情報をレシートに印字し、前記カード取り扱い手段がカードを排出した後に、前記口座情報が印字されたレシートを排出するレシート取り扱い手段を有する。
【００２２】
本発明の更に他の自動取引装置においては、さらに、前記通帳取り扱い手段は、取引によって更新されたデータを前記通帳に記帳し、前記レシート取り扱い手段は、前記カードに対応する口座の口座情報をレシートに印字し、前記カード取り扱い手段がカードを排出し、前記通帳取り扱い手段が前記更新されたデータが記帳された通帳を排出した後に、前記口座情報が印字されたレシートを排出する。
【００２３】
本発明の更に他の自動取引装置においては、さらに、前記操作手段は、前記取引が選択されると、取引可能口座数を表示するとともに、取引口座数を選択する選択手段を表示させる。
【００２４】
本発明の更に他の自動取引装置においては、さらに、前記通帳取り扱い手段は、すべての取引によって更新されたデータをすべての通帳に記帳し、前記レシート取り扱い手段は、すべてのカードに対応する口座の口座情報をレシートに印字し、前記カード取り扱い手段がすべてのカードを排出し、前記通帳取り扱い手段が前記更新されたデータが記帳されたすべての通帳を排出した後に、前記口座情報が印字されたレシートを排出する。
【発明の効果】
【００２５】
本発明によれば、自動取引装置は、複数の口座に対応するキャッシュカード等の媒体を受け付け、前記口座の口座情報を取得して、移動元及び移動先の口座を自動的に特定するようになっている。これにより、複数の口座間で金額を移動させる処理を行う際に、金融機関名、支店名、口座番号等の情報を入力する必要がなく、顧客が短時間で、容易に、確実に処理を行うことができる。
【発明を実施するための最良の形態】
【００２６】
以下、本発明の実施の形態について図面を参照しながら詳細に説明する。
【００２７】
図１は本発明の第１の実施の形態における自動取引装置のブロック図である。
【００２８】
図において、１０は、銀行、信用金庫、郵便局等の金融機関の支店等に配設されたＡＴＭ、ＣＤ等の自動取引装置であり、前記金融機関の顧客が自分で操作して入金、出金、通帳記帳、残高照会、振込、振替、送金、定期性預金設定等の金融サービスを利用するための装置である。なお、前記自動取引装置１０は、コンビニエンスストア、スーパーマーケット、デパート等の商店の店舗、地下街、駅の構内、市役所、病院等の公共施設、工場、事務所等の私企業、駐車場、道路脇（わき）等の屋外等に配設されていてもよい。また、前記自動取引装置１０は、他の機能、例えば、チケット予約機能、商品購入申し込み機能、クレジットカードの与信確認機能、施設情報案内機能等を有するキオスク（ＫＩＯＳＫ）端末のような多機能端末であってもよい。なお、前記顧客は、金融機関に自己の口座を開設し、前記金融サービスを利用する者であり、一般的には個人であるが、企業、団体等であってもよい。
【００２９】
そして、前記自動取引装置１０は、制御部１１、入出金口１２、レシート排出口１３、カード挿入／返却口１４、通帳挿入／返却口１５、顧客用画面表示部１６、顧客用データ入力部１７、現金処理部１８、レシート印字部１９、カード処理部２０、通帳処理部２１、搬走路２２、通信制御部２３及びメモリ２５を有する。なお、前記レシート排出口１３及びレシート印字部１９はレシート取り扱い手段として機能し、前記カード挿入／返却口１４及びカード処理部２０は媒体取り扱い手段としてのカード取り扱い手段として機能し、前記通帳挿入／返却口１５及び通帳処理部２１は媒体取り扱い手段としての通帳取り扱い手段として機能し、前記顧客用画面表示部１６及び顧客用データ入力部１７は操作手段として機能し、前記制御部１１は取引口座指定手段として機能する。
【００３０】
ここで、前記制御部１１は、半導体メモリ、磁気ディスク等から成る記憶手段としてのメモリ２５に格納されたプログラムに従って動作を行う一種のコンピュータであり、ＣＰＵ、ＭＰＵ等の演算手段等を備え、前記入出金口１２、レシート排出口１３、カード挿入／返却口１４、通帳挿入／返却口１５、顧客用画面表示部１６、顧客用データ入力部１７、現金処理部１８、レシート印字部１９、カード処理部２０、通帳処理部２１、搬走路２２及び通信制御部２３を含む自動取引装置１０全体の動作を統括的に制御する。
【００３１】
また、前記カード挿入／返却口１４は、制御部１１の指示によって、顧客が挿入した媒体としてのキャッシュカード等（以下「カード」という。）の受付、及び、顧客へのカード返却を行う機構、カードが挿入されたことを検知する機構、並びに、検知した情報を制御部１１に伝送する手段を有する。なお、前記カードは、金融機関が顧客に対して発行した入金、出金、振込、残高照会等の金融取引を行うためのカードであり、顧客の氏名、金融機関名、支店名、口座番号等の口座のデータ、暗証番号等のデータを磁気データとして格納する磁気ストライプを備える。また、前記カードは、ＩＣを備えるＩＣカードであってもよく、この場合、口座情報等のデータはＩＣに電子データとして格納されている。そして、前記カード処理部２０は、制御部１１の指示によってカードの磁気データの読み取り及び書き込みが可能な機構、自動取引装置１０が挿入を受け付けたカードの保留等が可能な機構を有する。
【００３２】
さらに、前記通帳挿入／返却口１５は、制御部１１の指示によって顧客が挿入した媒体としての通帳の受付及び顧客への通帳返却を行う機構、通帳が挿入されたことを検知する機構、並びに、検知した情報を制御部１１に伝送する手段を有する。ここで、前記通帳は、金融機関が顧客に対して発行した預金通帳等の冊子状の媒体であり、入金、出金、振込、振替、送金、定期性預金設定等の金融取引の記録が印刷されるものである。なお、前記通帳の表紙又は裏表紙には、顧客の氏名、金融機関名、支店名、口座番号等の口座のデータ、暗証番号等のデータを磁気データとして格納する磁気ストライプを備える。また、前記通帳処理部２１は、制御部１１の指示によって通帳の磁気データの読み取り及び書き込みが可能な機構、自動取引装置１０が挿入を受け付けた通帳の保留等が可能な機構を有する。
【００３３】
そして、前記入出金口１２は、顧客が自動取引装置１０に対して現金を出し入れするための機構を有する受付口である。前記現金処理部１８は、制御部１１の指示によって自動取引装置１０内の現金の処理を行う機構を有する。そして、入金等の金融取引において顧客が入出金口１２に入金した紙幣又は硬貨を受け取りカウントするとともに、出金等の金融取引において所定金額の紙幣又は硬貨を入出金口１２から払い出す。なお、該入出金口１２にはシャッタが配設され、該シャッタは、紙幣又は硬貨を入金するときや払い出すときに開くようになっている。
【００３４】
また、前記顧客用画面表示部１６は、顧客が操作を行う顧客操作部の一部であり、制御部１１の指示によって取引に必要な情報を顧客に選択させるための選択手段としてのファンクションキーの表示や、顧客にオペレーションを促すためのメッセージを表示する機構を有する画面である。そして、前記顧客用データ入力部１７は、顧客が操作を行う顧客操作部の一部であり、顧客の暗証番号や金額等のデータを入力可能とする機構を有する。なお、前記顧客用画面表示部１６及び顧客用データ入力部１７は、入力装置と表示装置との機能を兼ね備えるタッチパネルから成り、一体化されていることが望ましい。そして、顧客用データ入力部１７は、顧客がファンクションキーにタッチしたことを検知する手段を有し、検知した内容を変換して制御部１１に通知する手段も有する。
【００３５】
さらに、前記通信制御部２３は、通信回線２４を介して金融機関の管理する勘定系上位装置としてのホストコンピュータ２６に接続され、該ホストコンピュータ２６との間でのデータの送受信を制御する機構を備える。なお、前記通信回線２４は、有線又は無線の公衆通信回線網、専用通信回線網、イントラネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＶＰＮ（Ｖｉｒｔｕａｌ  Ｐｒｉｖａｔｅ  Ｎｅｔｗｏｒｋ）、衛星通信回線網等いかなる通信回線網であってもよく、これらを適宜組み合わせたものであってもよい。
【００３６】
そして、前記レシート印字部１９は、取引の明細が記載された明細書、すなわち、レシートを印字する機構を有する。また、前記レシート排出口１３は、前記レシート印字部１９によって印字されたレシートを顧客に渡すための機構を有するレシート渡し口である。さらに、前記搬走路２２は、自動取引装置１０内に挿入され、該自動取引装置１０が受け付けたカード、帳票、レシート印字部１９において印字されたレシート、入出金口１２及び現金処理部１８で受付及び処理された現金が走行する走行路である。なお、前記メモリ２５は、前記制御部１１が本実施の形態を実現するために使用するプログラム、顧客用画面表示部１６に表示する画面データの格納に加え、自動取引装置１０を使用した取引に必要なデータを一時的に格納することが可能な機構を有する。
【００３７】
次に、前記構成の自動取引装置１０の動作について説明する。
【００３８】
図２は本発明の第１の実施の形態における振込先指定方法選択画面の例を示す図、図３は本発明の第１の実施の形態における取引処理の動作を示すフローチャートである。
【００３９】
まず、顧客が自動取引装置１０の顧客用画面表示部１６に表示された金融取引選択画面を操作して、金融取引として振込処理を選択する。なお、前記金融取引選択画面には、「預金引出」、「振込」等の選択可能な金融取引の種類を示すファンクションキーが表示されている。そして、振込処理が選択されると、制御部１１は、振り込む金額をカードを使用して引き出すことによって行うカードによる振込、又は、振り込む金額を満たす現金を自動取引装置１０に入金することによって行う現金を使用した振込、のいずれかを選択するためのファンクションキーを顧客用画面表示部１６に表示させる。ここでは、前記顧客がカードによる振込を選択するものとする。
【００４０】
続いて、制御部１１は、顧客に対して金額の移動元、すなわち、振込元の口座に対応するカードの挿入を促す内容の画面を顧客用画面表示部１６に表示させる。そして、前記顧客は、振込元の口座に対応するカードをカード挿入／返却口１４に挿入する。すると、挿入されたカードはカード処理部２０まで搬送される。
【００４１】
続いて、顧客が顧客用データ入力部１７を操作して、認証のためのデータを入力すると認証が行われる。この場合、認証のためのデータとしてカードの暗証番号を入力するものとする。続いて、制御部１１は、図２に示されるような振込先指定方法選択画面３０を顧客用画面表示部１６に表示させる。なお、前記振込先指定方法選択画面３０の画面データは、メモリ２５に格納されている。
【００４２】
ここで、前記振込先指定方法選択画面３０には、振込先指定方法を選択する画面であることを知らせるメッセージ３１、振込先の情報を顧客用画面表示部１６からの入力によって指定する方法を選択するためのファンクションキー３２、振込カードを使用する方法を選択するためのファンクションキー３３、振込先口座の通帳を使用する方法を選択するためのファンクションキー３４、振込先口座のカードを使用する方法を選択するためのファンクションキー３５、振込先口座のカード又は通帳を振込先指定方法として使用可能であることを顧客に知らせるメッセージ３６、及び、振込先指定方法選択画面３０を取り消すためのファンクションキー３７が表示される。そして、顧客が前記ファンクションキー３２〜３５及び３７を画面上でタッチすることによって選択すると、顧客用画面表示部１６から制御部１１に各ファンクションキー３２〜３５及び３７の情報が伝送され、制御部１１は伝送された情報を振込先指定方法の情報としてメモリ２５に格納する。なお、ファンクションキー３２〜３５及び３７は選択手段として機能する。
【００４３】
続いて、顧客は、前記振込先指定方法選択画面３０の中から振込先口座の通帳を使用する方法を選択するためのファンクションキー３４又は振込先口座のカードを使用する方法を選択するためのファンクションキー３５のいずれかを選択することによって、金額の移動先、すなわち、振込先を指定する方法を選択する。なお、選択された情報は、制御部１１に伝送され、メモリ２５に振込先指定方法の情報として格納される。
【００４４】
続いて、制御部１１は、メモリ２５に格納された振込先指定方法の情報が振込先口座のカードである場合は、振込先の口座に対応するカードの挿入を促すメッセージを顧客用画面表示部１６に表示させる。また、メモリ２５に格納された振込先指定方法の情報が振込先口座の通帳である場合は、振込先口座に対応する通帳の挿入を促すメッセージを顧客用画面表示部１６に表示させる。そして、顧客は、顧客用画面表示部１６に表示されたメッセージに従って、振込先指定媒体の挿入、すなわち、振込先口座に対応する媒体の挿入を行う。この場合、振込先の口座に対応するカードをカード挿入／返却口１４に挿入、又は、振込先の口座に対応する通帳を通帳挿入／返却口１５に挿入する。
【００４５】
そして、振込先情報表示処理が実行される。該振込先情報表示処理において、制御部１１は、振込先の口座に対応する口座情報を顧客用画面表示部１６に表示させる。そして、顧客は、表示された振込先の口座の金融機関名、支店名、口座番号、口座名義人名等の口座情報の内容を確認し、データが表示された口座を振込先の口座として確定する。
【００４６】
続いて、金額の指定が行われる。この場合、制御部１１は、顧客に振込金額の入力を促す画面を顧客用画面表示部１６に表示させる。そして、顧客は顧客用データ入力部１７から移動金額としての振込金額を入力する。すると、制御部１１は、確認依頼を行う。この場合、制御部１１は、振込先の口座の情報、入力された振込金額、必要であれば振込手数料、及び、内容を確定するためのファンクションキー、すなわち、確認キーを顧客用画面表示部１６に表示させる。そして、顧客は表示された内容が正しい場合は、確認キーを選択して確定する。すると、前記制御部１１は確定された内容をメモリ２５に格納する。
【００４７】
続いて、制御部１１は、確定された内容に基づいて振込処理を実行する。該振込処理によって、振込元の口座から振込先の口座へ振込金額が振り込まれる。そして、制御部１１は媒体返却準備処理を実行する。該媒体返却準備処理において、制御部１１は、振込処理が終了した後の振込元口座及び振込先口座の情報に基づいて、レシート印字部１９に対するレシート印字の指示、通帳処理部２１に対する通帳記帳の指示等を行う。
【００４８】
続いて、前記制御部１１は、振込先指定媒体の返却、すなわち、顧客が挿入した振込先口座に対応する媒体の返却を行う。該媒体がカードである場合には、該カードがカード挿入／返却口１４から返却され、振込先口座の情報が印字されたレシートがレシート排出口１３から排出される。また、前記媒体が通帳である場合には、記帳された通帳が通帳挿入／返却口１５に返却される。また、顧客に対して媒体の受け取り、及び、レシートが印字された場合にはレシートの受け取りを促すメッセージが顧客用画面表示部１６に表示される。そして、顧客は媒体及びレシートを受け取る。
【００４９】
続いて、前記制御部１１は、振込元カードの返却、すなわち、顧客が挿入した振込元口座に対応するカードの返却を行う。この場合、該カードがカード挿入／返却口１４から返却され、振込元口座の情報が印字されたレシートがレシート排出口１３から排出される。また、顧客に対してカード及びレシートの受け取りを促すメッセージが顧客用画面表示部１６に表示される。そして、顧客がカード及びレシートを受け取ると処理が終了される。
【００５０】
次に、フローチャートについて説明する。
ステップＳ１  振込処理を選択する。
ステップＳ２  現金又はカードを選択する。
ステップＳ３  振込元カードを挿入する。
ステップＳ４  認証を行う。
ステップＳ５  振込先指定方法選択画面を表示する。
ステップＳ６  振込先指定方法を選択する。
ステップＳ７  振込先指定媒体を挿入する。
ステップＳ８  振込先情報表示処理を実行する。
ステップＳ９  金額の指定を行う。
ステップＳ１０  確認依頼を行う。
ステップＳ１１  振込処理を行う。
ステップＳ１２  媒体返却準備処理を実行する。
ステップＳ１３  振込先指定媒体を返却する。
ステップＳ１４  振込元カードを返却し、処理を終了する。
【００５１】
次に、図３のステップＳ８における振込先情報表示処理のサブルーチンについて説明する。
【００５２】
図４は本発明の第１の実施の形態における振込内容確認表示画面の例を示す図、図５は本発明の第１の実施の形態における振込先情報表示処理のサブルーチンを示すフローチャートである。
【００５３】
この場合、振込先指定媒体が挿入された状態、すなわち、振込先の口座に対応するカードがカード挿入／返却口１４に挿入、又は、振込先の口座に対応する通帳が通帳挿入／返却口１５に挿入された状態である。
【００５４】
まず、制御部１１は、カード挿入／返却口１４又は通帳挿入／返却口１５から伝送された挿入検知の情報に基づいて、振込先媒体判定を行い、すなわち、挿入された媒体がカードであるか通帳であるかを判定し、メモリ２５に振込先指定方法の情報として格納する。そして、該振込先指定方法の情報が通帳である場合、すなわち、挿入された媒体が通帳である場合、該通帳を通帳処理部２１まで搬送する振込先通帳搬送を行う。続いて、通帳処理部２１に、振込先通帳、すなわち、振込先の口座に対応する通帳の磁気データの読み取りを行わせる。そして、読み取ったデータ、すなわち、振込先通帳の磁気データをメモリ２５に格納する。これにより、該メモリ２５には、振込先の口座の金融機関名、支店名、口座番号、口座名義人名等のデータが格納される。
【００５５】
また、振込先指定方法の情報がカードである場合、すなわち、挿入された媒体がカードである場合、該カードをカード処理部２０まで搬送する振込先カード搬送を行う。続いて、顧客が顧客用データ入力部１７を操作して認証のためのデータを入力すると、振込先カード、すなわち、振込先の口座に対応するカードの認証が行われる。この場合、認証のためのデータとしてカードの暗証番号を入力するものとする。続いて、制御部１１は、カード処理部２０に、振込先カードの磁気データの読み取りを行わせる。そして、読み取ったデータ、すなわち、振込先カードの磁気データをメモリ２５に格納する。これにより、該メモリ２５には、振込先の口座の金融機関名、支店名、口座番号、口座名義人名等のデータが格納される。
【００５６】
続いて、制御部１１は、メモリ２５に格納された振込先の口座のデータに基づき、通信制御部２３を制御し、ホストコンピュータ２６に対して振込先口座情報取得依頼を行い、振込先の口座の更に詳細な情報、すなわち、口座情報を要求する。続いて、制御部１１は、ホストコンピュータ２６から振込先口座情報を受信することによって、振込先の口座の金融機関名、支店名、口座番号、口座名義人名、口座名義人電話番号等の口座情報、すなわち、振込先口座情報を取得する。そして、該振込先口座情報をメモリ２５に格納する。なお、振込先の口座の口座残高も取得してメモリ２５に格納する。
【００５７】
続いて、制御部１１は、振込先情報表示を行い、図４に示されるような振込内容確認表示画面４０を顧客用画面表示部１６に表示させる。そして、顧客は、表示された内容が正しい場合、確認キー４２にタッチして選択する。すると、制御部１１は、顧客が表示された内容を確認したものとして、振込内容確認表示画面４０に表示された口座を振込先として確定し、処理を終了する。
【００５８】
次に、フローチャートについて説明する。
ステップＳ８−１  振込先媒体判定を行う。振込先媒体がカードである場合はステップＳ８−５に進み、振込先媒体が通帳である場合はステップＳ８−２に進む。
ステップＳ８−２  振込先通帳搬送を行う。
ステップＳ８−３  振込先通帳の磁気データを読み取る。
ステップＳ８−４  振込先通帳の磁気データを格納する。
ステップＳ８−５  振込先カード搬送を行う。
ステップＳ８−６  振込先カードの認証を行う。
ステップＳ８−７  振込先カードの磁気データを読み取る。
ステップＳ８−８  振込先カードの磁気データを格納する。
ステップＳ８−９  振込先口座情報取得依頼を行う。
ステップＳ８−１０  振込先口座情報を受信する。
ステップＳ８−１１  振込先口座情報を格納する。
ステップＳ８−１２  振込先口座情報表示を行い、処理を終了する。
【００５９】
次に、図３のステップＳ１１における振込処理のサブルーチンについて説明する。
【００６０】
図６は本発明の第１の実施の形態における振込処理のサブルーチンを示すフローチャートである。
【００６１】
この場合、振込先の口座及び振込金額は確定された状態である。まず、制御部１１は、通信制御部２３を制御し、メモリ２５に格納された振込情報の振込処理をホストコンピュータ２６に依頼する。続いて、制御部１１は、振込処理の完了をホストコンピュータ２６から受信して認識すると、振込元口座更新情報格納を行い、メモリ２５に格納された振込元口座の口座残高を更新する。また、制御部１１は、振込先口座更新情報格納を行い、メモリ２５に格納された振込先口座の口座残高を更新して、処理を終了する。
【００６２】
次に、フローチャートについて説明する。
ステップＳ１１−１  振込処理を依頼する。
ステップＳ１１−２  振込処理の完了を受信する。
ステップＳ１１−３  振込元口座更新情報格納を行う。
ステップＳ１１−４  振込先口座更新情報格納を行い、処理を終了する。
【００６３】
次に、図３のステップＳ１２における媒体返却準備処理のサブルーチンについて説明する。
【００６４】
図７は本発明の第１の実施の形態における媒体返却準備処理のサブルーチンを示すフローチャートである。
【００６５】
この場合、振込処理は完了した状態である。まず、制御部１１は、振込先媒体判定を行い、メモリ２５に格納された振込先指定方法の情報が振込先口座のカードであるか通帳であるかを判定する。そして、振込先指定方法の情報が通帳である場合、制御部１１は、振込処理前の未記帳データも含めて振込処理後の記帳データを編集し、通帳処理部２１を制御して、振込先通帳、すなわち、振込先の口座に対応する通帳への記帳、及び、該通帳の磁気データの更新を行う。また、振込先指定方法の情報がカードである場合、制御部１１は、レシート印字部１９を制御して、振込処理後の振込先口座情報レシート印字を行わせる。これにより、振込先口座の更新された口座残高を含む振込先口座情報がレシートに印字される。
【００６６】
続いて、制御部１１は、レシート印字部１９を制御して振込処理後の振込元口座情報レシート印字を行わせ、処理を終了する。これにより、振込元口座の更新された口座残高を含む振込元口座情報がレシートに印字される。
【００６７】
次に、フローチャートについて説明する。
ステップＳ１２−１  振込先媒体判定を行う。振込先媒体がカードである場合はステップＳ１２−４に進み、振込先媒体が通帳である場合はステップＳ１２−２に進む。
ステップＳ１２−２  記帳データを更新する。
ステップＳ１２−３  振込先通帳を記帳する。
ステップＳ１２−４  振込先口座情報レシート印字を行う。
ステップＳ１２−５  振込元口座情報レシート印字を行い、処理を終了する。
【００６８】
このように、本実施の形態においては、顧客が管理する複数銀行口座間で金額を移動させる場合、移動先の口座に対応するカード又は通帳を自動取引装置１０のカード挿入／返却口１４又は通帳挿入／返却口１５に挿入することによって、金融機関名、支店名、口座番号等を入力することなく、移動先の口座を指定することができる。すなわち、振込先の情報を指定するために振込先口座のカード又は通帳を受付可能な機構を有する自動取引装置１０において、顧客が自動取引装置１０を操作してカードによる振込処理を選択し、振込元の口座に対応するカードの挿入及び認証に必要なデータを入力すると、自動取引装置１０が振込先指定方法を選択する画面を表示し、顧客が前記画面において振込先の口座に対応するカードによる振込先指定方法を選択すると、自動取引装置１０が顧客に振込先の口座に対応するカードの挿入を促す画面を表示し、顧客が自動取引装置１０に振込先の口座に対応するカードの挿入及び認証に必要なデータを入力すると、自動取引装置１０が挿入された振込先の口座に対応するカードの磁気データに格納された情報に基づいて振込先情報を表示するようになっている。そのため、振込先を入力するために要する時間が不要となり、入力ミスに対する懸念もなくなる。
【００６９】
また、振込先を指定した後、顧客が振込金額を指定し、振込内容を確定すると、自動取引装置１０は振込処理を行い、該振込処理が完了した後、振込先口座及び振込元口座のレシートを印字し、顧客が挿入したすべてのカード及び印字済みレシートを顧客に返却する。そのため、顧客は振込先口座の情報も得ることができる。
【００７０】
さらに、振込先口座に対応するカードに代えて、振込先の口座に対応する通帳を挿入することによっても、同様の効果を得ることができる。この場合、振込先の口座に対応する通帳には振込処理が完了する以前の未記帳データも記帳することができる。
【００７１】
次に、本発明の第２の実施の形態について説明する。なお、第１の実施の形態と同じ構成を有するものについては、同じ符号を付与することによってその説明を省略する。また、前記第１の実施の形態と同じ動作及び同じ効果についても、その説明を省略する。
【００７２】
図８は本発明の第２の実施の形態における取引選択画面の例を示す図、図９は本発明の第２の実施の形態における取引口座数指定画面の例を示す図、図１０は本発明の第２の実施の形態における移動元口座選択画面の例を示す図、図１１は本発明の第２の実施の形態における移動金額入力画面の例を示す図、図１２は本発明の第２の実施の形態における取引内容確認画面の例を示す図、図１３は本発明の第２の実施の形態における口座間移動処理の動作を示すフローチャートである。
【００７３】
本実施の形態においては、顧客が管理する複数の口座間で任意の金額を移動させることに限定した取引を行うことができる場合について説明する。この場合、自動取引装置１０の顧客用画面表示部１６には、図８に示されるような取引選択画面５０が表示されている。該取引選択画面５０には、顧客に取引選択を促すメッセージ５１、入金、出金、残高照会、振込、口座間移動等の取引を選択する選択手段としてのファンクションキー５２ａ〜５２ｅ、及び、画面上でタッチすることによって各ファンクションキーが選択可能であることを説明するメッセージ５３が表示される。そして、顧客は、口座間移動に対応するファンクションキー５２ｃにタッチすることによって、口座間移動を選択する。すると、選択された情報が制御部１１に伝送される。
【００７４】
そして、該制御部１１は、図９に示されるような取引口座数指定画面９０を顧客用画面表示部１６に表示させる。本実施の形態においては、口座間移動の取引において指定可能な口座の数の最大値、すなわち、最大取引口座数が三つであるものとして説明する。なお、最大取引口座数は、四つ以上であってもよく、任意に設定することができる。また、最大取引口座数が二つである場合は、取引口座数を指定する必要がないので、取引口座数指定画面９０を表示させる必要がない。
【００７５】
該取引口座数指定画面９０には、顧客に取引口座数の選択を促すメッセージ９１、取引口座数が二つであることを選択する選択手段としてのファンクションキー９２、取引口座数が三つであることを選択する選択手段としてのファンクションキー９３、並びに、確認、訂正及び取消を選択する選択手段としてのファンクションキー９４〜９６が表示される。そして、顧客は、ファンクションキー９２又は９３にタッチすることによって、取引口座数を指定する。ここでは、顧客がファンクションキー９３にタッチすることによって、取引口座数が三つであることを指定したものとして説明する。なお、取引口座数が三つである場合には、移動元の口座が二つで移動先の口座が一つである場合と、移動元の口座が一つで移動先の口座が二つである場合とがある。
【００７６】
続いて、制御部１１は、顧客用画面表示部１６に媒体としてのカード及び通帳を挿入することを顧客に促す画面を表示させる。そして、顧客は、取引口座に対応するカード又は通帳をカード挿入／返却口１４又は通帳挿入／返却口１５に挿入し、媒体の挿入を行う。すると、カードが挿入された場合、該カードはカード処理部２０まで搬送され、また、通帳が挿入された場合、該通帳は通帳処理部２１まで搬送される。なお、移動元の口座に対応する媒体としてはカードのみが使用可能であり、移動先の口座に対応する媒体としてはカード及び通帳が使用可能であるものとすることが望ましい。そして、顧客が顧客用データ入力部１７を操作して、認証のためのデータを入力すると認証が行われる。この場合、認証のためのデータとしてカードの暗証番号を入力するものとする。
【００７７】
続いて、制御部１１は、取引口座数分が終了したか否かを判断する。すなわち、顧客が指定した取引口座数に対応する数の媒体が挿入され、認証が行われたか否かが判断される。ここでは、前述のように、取引口座数が三つであることが指定されているので、三枚の媒体が挿入されて認証が行われたか否かが判断される。そして、取引口座数分の媒体の挿入と認証とが終了するまで、前述された動作を繰り返す。
【００７８】
続いて、制御部１１は口座情報取得処理を実行する。該口座情報取得処理において、制御部１１は、挿入された媒体の磁気データ及び認証データに基づいて、ホストコンピュータ２６と交信して各取引口座の詳細な情報としての口座情報を取得し、該口座情報、すなわち、金融機関名、支店名、口座番号、口座名義人名、口座名義人電話番号、口座残高等をメモリ２５に格納する。
【００７９】
続いて、制御部１１は、移動元の口座の選択を行うために、メモリ２５に格納された各取引口座の情報に基づいて、顧客用画面表示部１６に、図１０に示されるような移動元口座選択画面６０を表示させる。該移動元口座選択画面６０には、顧客に移動元の口座の選択を促すメッセージ６１、顧客が挿入した媒体に対応するすべての取引口座の口座情報（口座金融機関名、支店名、口座番号、口座名義人、電話番号、口座残高）表示欄６２及び６３が表示される。なお、図１０においては、説明の都合上、表示されている口座情報表示欄の数が二つであるが、移動元口座選択画面６０に一度に表示される口座情報表示欄の数は、必ずしも二つである必要はなく、三つであってもよいし、いくつであってもよいが、移動元口座選択画面６０の大きさによって設定されることが望ましい。また、表示された口座情報表示欄６２及び６３は選択手段としてのファンクションキーを兼ねている。そして、移動元口座選択画面６０には、画面上をタッチすることによって選択可能であることを示すメッセージ６４が表示されていて、顧客は口座情報表示欄６２及び６３にタッチすることによって、移動元の口座を選択することができる。
【００８０】
続いて、制御部１１は、移動金額の指定を行うため、顧客用画面表示部１６に、図１１に示されるような移動金額入力画面７０を表示させる。該移動金額入力画面７０には、顧客に金額を入力することを促すメッセージ７１、選択された移動元の口座の口座情報表示欄７３及び移動先の口座の口座情報表示欄７２、金額表示欄７４、並びに、確認、移動元口座の変更、金額の訂正及び取引中止を選択する選択手段としてのファンクションキー７５〜７８が表示される。そして、顧客は、顧客用データ入力部１７を操作して移動金額を入力することによって、移動金額を指定する。なお、金額表示欄７４は、移動金額入力画面７０が表示された直後は空欄であるが、顧客が金額を入力すると入力した金額が表示される。また、顧客は、金額及び口座情報が正しい場合、確認に対応するファンクションキー７５を選択することによって内容を確定することができる。さらに、移動元口座を変更したい場合は、移動元口座の変更に対応するファンクションキー７６を選択することによって移動元口座選択画面６０に戻ることができ、金額を訂正したい場合は金額の訂正に対応するファンクションキー７７を選択することによって金額を訂正することができる。さらに、口座間移動の取引を中止したい場合は、取引中止に対応するファンクションキー７８を選択することによって取引を中止することができる。
【００８１】
続いて、制御部１１は、取引数分が終了したか否かを判断する。すなわち、顧客が選択した移動元の口座から移動先の口座へ金額を移動させる口座間移動の取引数に対応する回数だけ移動金額の指定が行われたか否かを判断する。前述のように、移動元の口座が二つで移動先の口座が一つである場合、口座間移動の取引数は二であり、また、移動元の口座が一つで移動先の口座が二つである場合も、口座間移動の取引数は二である。そして、口座間移動の取引数に対応する回数だけの移動金額の指定が終了するまで、前述された動作を繰り返す。
【００８２】
続いて、制御部１１は、顧客に対して確認を依頼するため、顧客用画面表示部１６に、図１２に示されるような取引内容確認画面８０を表示させる。該取引内容確認画面８０には、顧客に取引内容を確認することを依頼するメッセージ８１、選択された移動元の口座の口座情報表示欄８３及び移動先の口座の口座情報表示欄８２、金額表示欄８４、並びに、確認、訂正及び取消を選択する選択手段としてのファンクションキー８５〜８７が表示される。そして、顧客は、表示された移動元の口座の口座情報表示欄８３、移動先の口座の口座情報表示欄８２及び金額表示欄８４の表示内容が正しいことを確認すると、確認に対応するファンクションキー８５を選択することによって、取引内容を確定することができる。また、移動する金額又は移動元の口座若しくは移動先の口座を変更したい場合、訂正に対応するファンクションキー８６を選択することによって訂正することができる。さらに、口座間移動の取引を中止したい場合、取消に対応するファンクションキー８７を選択することによって取引を取り消すことができる。
【００８３】
続いて、制御部１１は、取引数分が終了したか否かを判断する。すなわち、顧客が選択した移動元の口座から移動先の口座へ金額を移動させる口座間移動の取引数に対応する回数だけ取引内容の確認が行われたか否かを判断する。前述のように、移動元の口座が二つで移動先の口座が一つである場合、口座間移動の取引数は二であり、また、移動元の口座が一つで移動先の口座が二つである場合も、口座間移動の取引数は二である。そして、口座間移動の取引数に対応する回数だけの取引内容の確認が終了するまで、前述された動作を繰り返す。
【００８４】
続いて、移動処理が実行される。この場合、制御部１１は、移動元の口座を振込元の口座とし、移動先の口座を振込先の口座とし、さらに、移動金額を振込金額として、通信制御部２３を制御し、ホストコンピュータ２６に振込処理を依頼する。そして、制御部１１は、振込処理の完了をホストコンピュータ２６から受信して認識すると、メモリ２５に格納された各移動元の口座の口座残高を更新し、各移動先の口座の口座残高を更新する。
【００８５】
続いて、媒体返却準備処理が実行される。この場合、制御部１１は、メモリ２５に格納された移動先指定方法の情報が移動先の口座のカードであるか通帳であるかを判定する。そして、移動先指定方法の情報が通帳である場合、制御部１１は、移動処理前の未記帳データも含めて移動処理後の記帳データを編集し、通帳処理部２１を制御して、移動先の口座に対応する通帳への記帳、及び、該通帳の磁気データの更新を行う。また、移動先指定方法の情報がカードである場合、制御部１１は、レシート印字部１９を制御して、移動処理後の移動先口座情報レシート印字を行わせる。これにより、移動先の口座の更新された口座残高を含む移動先口座情報がレシートに印字される。続いて、制御部１１は、レシート印字部１９を制御して、移動元の口座の更新された口座残高を含む振込元口座情報をレシートに印字させる。
【００８６】
続いて、制御部１１は、媒体の返却、すなわち、顧客が挿入したすべてのカード又は通帳の返却を行う。この場合、媒体がカードである場合には、該カードがカード挿入／返却口１４から返却され、移動元又は移動先の口座の情報が印字されたレシートがレシート排出口１３から排出される。また、媒体が通帳である場合には、記帳された通帳が通帳挿入／返却口１５に返却される。また、顧客に対して媒体の受け取り、及び、レシートが印字された場合にはレシートの受け取りを促すメッセージが顧客用画面表示部１６に表示される。そして、顧客がすべての媒体及びレシートを受け取ると処理が終了される。
【００８７】
次に、フローチャートについて説明する。
ステップＳ２１  口座間移動を選択する。
ステップＳ２２  取引口座数を指定する。
ステップＳ２３  媒体を挿入する。
ステップＳ２４  認証を行う。
ステップＳ２５  取引口座数分が終了したか否かを判断する。取引口座数分が終了した場合はステップＳ２６に進み、取引口座数分が終了していない場合はステップＳ２３に戻る。
ステップＳ２６  口座情報取得処理を実行する。
ステップＳ２７  移動元口座を選択する。
ステップＳ２８  移動金額を指定する。
ステップＳ２９  取引数分が終了したか否かを判断する。取引数分が終了した場合はステップＳ３０に進み、取引数分が終了していない場合はステップＳ２８に戻る。
ステップＳ３０  確認を依頼する。
ステップＳ３１  取引数分が終了したか否かを判断する。取引数分が終了した場合はステップＳ３２に進み、取引数分が終了していない場合はステップＳ３０に戻る。
ステップＳ３２  移動処理を実行する。
ステップＳ３３  媒体返却準備処理を実行する。
ステップＳ３４  媒体を返却し、処理を終了する。
【００８８】
次に、図１３のステップＳ２６における口座情報取得処理のサブルーチンについて説明する。
【００８９】
図１４は本発明の第２の実施の形態における口座情報取得処理のサブルーチンを示すフローチャートである。
【００９０】
まず、制御部１１は、カード処理部２０を制御し、カード挿入／返却口１４に挿入されたカードの磁気データの読み取りを行わせる。そして、読み取った磁気データをメモリ２５に格納する。続いて、制御部１１は、カード挿入／返却口１４に挿入されたすべてのカードの磁気データの読み取りが終了したか否かを判断する。そして、すべてのカードの磁気データの読み取りが終了するまで前述の動作を繰り返す。
【００９１】
続いて、制御部１１は、通帳があるか否か、すなわち、通帳挿入／返却口１５に通帳が挿入されたか否かを、前記通帳挿入／返却口１５から伝送された挿入検知の情報に基づいて判断する。そして、通帳が挿入されている場合、制御部１１は、通帳処理部２１を制御し、通帳挿入／返却口１５に挿入された通帳の磁気データの読み取りを行わせる。そして、読み取った磁気データをメモリ２５に格納する。続いて、制御部１１は、通帳挿入／返却口１５に挿入されたすべての通帳の磁気データの読み取りが終了したか否かを判断する。そして、すべての通帳の磁気データの読み取りが終了するまで前述の動作を繰り返す。
【００９２】
続いて、制御部１１は取引口座情報の取得依頼を行う。この場合、制御部１１は、メモリ２５に格納された取引口座のデータに基づき、通信制御部２３を制御し、ホストコンピュータ２６に対して取引口座情報の取得依頼を行い、取引口座の更に詳細な情報、すなわち、口座情報を要求する。なお、通帳挿入／返却口１５に通帳が挿入されていない場合、制御部１１は、直ちに取引口座情報の取得依頼を行う。
【００９３】
続いて、制御部１１は、ホストコンピュータ２６から取引口座情報を受信することによって、取引口座の金融機関名、支店名、口座番号、口座名義人名、口座名義人電話番号、口座残高等の口座情報、すなわち、取引口座情報を取得する。そして、該取引口座情報をメモリ２５に格納して、処理を終了する。
【００９４】
次に、フローチャートについて説明する。
ステップＳ２６−１  カードの磁気データを読み取る。
ステップＳ２６−２  カードの磁気データを格納する。
ステップＳ２６−３  すべてのカードの読み取りが終了したか否かを判断する。すべてのカードの読み取りが終了した場合はステップＳ２６−４に進み、すべてのカードの読み取りが終了していない場合はステップＳ２６−１に戻る。
ステップＳ２６−４  通帳があるか否かを判断する。通帳がある場合はステップＳ２６−５に進み、通帳がない場合はステップＳ２６−８に進む。
ステップＳ２６−５  通帳の磁気データを読み取る。
ステップＳ２６−６  通帳の磁気データを格納する。
ステップＳ２６−７  すべての通帳の読み取りが終了したか否かを判断する。すべての通帳の読み取りが終了した場合はステップＳ２６−８に進み、すべての通帳の読み取りが終了していない場合はステップＳ２６−５に戻る。
ステップＳ２６−８  取引口座情報の取得依頼を行う。
ステップＳ２６−９  取引口座情報を受信する。
ステップＳ２６−１０  取引口座情報を格納し、処理を終了する。
【００９５】
このように、本実施の形態において、自動取引装置１０は、複数銀行口座間で金額を移動させるためのファンクションキー５２ｃを取引選択画面５０に表示させるようになっているので、顧客は、自分で管理する複数銀行口座間で金額を容易に移動させることができる。すなわち、複数口座のカード又は通帳を受付可能な機能を有する自動取引装置１０は、複数口座間において顧客が指定した金額移動を行う取引を実施することが可能な手段を有し、前記取引を行うことに限定したファンクションキーを有する手段と、前記取引を行う場合に、複数口座のうちから移動元口座を顧客が選択することが可能な手段と、各取引において移動する金額を顧客が設定することが可能な手段と、設定された取引内容に基づいて前記取引を行うことが可能な手段とを有するので、顧客は顧客管理の複数口座間で前記取引を容易に行うことができる。そのため、従来のような現金を引き出して入れ直す作業が不要になり、従来のような振込先入力に要する時間を削減することができ、入力ミスに対する懸念もなくなり、顧客の取引選択の幅が広がり、顧客の作業を簡略化することができる。
【００９６】
また、前記自動取引装置１０は、取引可能な最大の口座数まで取引口座数を指定することが可能な手段を有するので、複数の移動先口座又は移動元口座を指定して、各口座への移動金額も指定することができる。さらに、複数の口座への任意金額の移動が可能となり、顧客の作業を更に簡略化することができる。
【００９７】
なお、前記第１及び第２の実施の形態においては、自動取引装置１０が入出金口１２及び現金処理部１８を有している場合について説明したが、前記第１及び第２の実施の形態においては現金を取り扱う必要がないので、入出金口１２及び現金処理部１８を省略することもできる。
【００９８】
また、前記第１及び第２の実施の形態においては、認証を行うためにカードの暗証番号を入力する例について説明したが、代替えの認証方法があれば、暗証番号を入力することによって認証を行う必要はない。
【００９９】
さらに、前記第１の実施の形態においては、媒体を返却する際に、振込元カード、振込先カード又は通帳の順で返却する例について説明したが、媒体を返却する順序は適宜変更することができる。
【０１００】
さらに、前記第１及び第２の実施の形態においては、取引を中止するための動作について特に説明していないが、画面に取引を中止するためのファンクションキーを表示させることによって、進行中の取引を中止する必要がある場合に、ファンクションキーを選択することにより随時取引を中止することができる。
【０１０１】
さらに、前記第１及び第２の実施の形態においては、取引で発生する手数料について説明されていないが、手数料が必要な場合は手数料も表示することができる。
【０１０２】
なお、本発明は前記実施の形態に限定されるものではなく、本発明の趣旨に基づいて種々変形させることが可能であり、それらを本発明の範囲から排除するものではない。
【図面の簡単な説明】
【０１０３】
【図１】本発明の第１の実施の形態における自動取引装置のブロック図である。
【図２】本発明の第１の実施の形態における振込先指定方法選択画面の例を示す図である。
【図３】本発明の第１の実施の形態における取引処理の動作を示すフローチャートである。
【図４】本発明の第１の実施の形態における振込内容確認表示画面の例を示す図である。
【図５】本発明の第１の実施の形態における振込先情報表示処理のサブルーチンを示すフローチャートである。
【図６】本発明の第１の実施の形態における振込処理のサブルーチンを示すフローチャートである。
【図７】本発明の第１の実施の形態における媒体返却準備処理のサブルーチンを示すフローチャートである。
【図８】本発明の第２の実施の形態における取引選択画面の例を示す図である。
【図９】本発明の第２の実施の形態における取引口座数指定画面の例を示す図である。
【図１０】本発明の第２の実施の形態における移動元口座選択画面の例を示す図である。
【図１１】本発明の第２の実施の形態における移動金額入力画面の例を示す図である。
【図１２】本発明の第２の実施の形態における取引内容確認画面の例を示す図である。
【図１３】本発明の第２の実施の形態における口座間移動処理の動作を示すフローチャートである。
【図１４】本発明の第２の実施の形態における口座情報取得処理のサブルーチンを示すフローチャートである。
【符号の説明】
【０１０４】
１０    自動取引装置
１１    制御部
１３    レシート排出口
１４    カード挿入／返却口
１５    通帳挿入／返却口
１６    顧客用画面表示部
１７    顧客用データ入力部
１９    レシート印字部
２０    カード処理部
２１    通帳処理部
２６    ホストコンピュータ
３２、３３、３４、３５、３７、５２ａ、５２ｂ、５２ｃ、５２ｄ、５２ｅ、７５、７６、７７、７８、８５、８６，８７、９２、９３、９４、９５、９６    ファンクションキー
６２、６３    口座情報表示欄
【図１】
2006251963.tif 000003
【図２】
2006251963.tif 000004
【図３】
2006251963.tif 000005
【図４】
2006251963.tif 000006
【図５】
2006251963.tif 000007
【図６】
2006251963.tif 000008
【図７】
2006251963.tif 000009
【図８】
2006251963.tif 000010
【図９】
2006251963.tif 000011
【図１０】
2006251963.tif 000012
【図１１】
2006251963.tif 000013
【図１２】
2006251963.tif 000014
【図１３】
2006251963.tif 000015
【図１４】
2006251963.tif 000016